(57)【要約】【課題】、単語カードとして使い勝手の良いラベルテープ、該ラベルテープを作成するためのテープカセット、印刷装置を提供する。【解決手段】テープ印刷装置では、赤色で単語が印刷された紙テープ８２の表面に、赤色フィルムテープ８３が重ねられて粘着部９２で接着された単語テープ８０を作成できる。赤色フィルムテープ８３には識別マーク９１と粘着部９２が設けられている。そして印刷済みの紙テープ８２に赤色フィルムテープ８３が重ねられ、テープ排出口に向かって搬送される。そして赤色フィルムテープ８３の識別マーク９１がフォトセンサによって検出されると、フォトセンサの下流側近傍に配置されたカット機構によって切断される。よって識別マーク９１と粘着部９２とを１枚の単語テープ８０の先端側に配置できるので、粘着部９２が邪魔にならず使い勝手のよい単語テープ８０を作成できる。【選択図】図１４
2008241955.tif 000002
【特許請求の範囲】
【請求項１】
テープ状の基材と、
当該基材の一面に重ねられる有色の透明フィルムと、
当該透明フィルムの前記基材に対向する対向面の長手方向一端部側に設けられた粘着部と
を備え、
前記基材の前記一面に対して、前記透明フィルムの前記対向面が前記粘着部を介して接着され、
前記基材の前記一面には、前記透明フィルムと同一色の文字、図形又は記号が印刷されていることを特徴とするラベルテープ。
【請求項２】
テープ状の基材と、当該基材の一面に重ねられる有色の透明フィルムと、前記基材の前記一面に、少なくとも前記透明フィルムと同一色の文字、図形又は記号を印刷するためのインクリボンとを収納し、前記透明フィルムの前記基材に対向する対向面に設けられた粘着部を介して、前記透明フィルムの前記対向面が接着されることによって作成されるラベルテープを外部に送出する送出口を備え、印刷装置に着脱可能に装着されるテープカセットであって、
前記粘着部は、前記透明フィルムの前記対向面に、前記透明フィルムの長手方向に沿って所定間隔毎に複数設けられ、
前記基材を巻回して支持する基材支持手段と、
前記インクリボンを巻回して支持するインクリボン支持手段と、
前記透明フィルムを巻回して支持するフィルム支持手段と、
当該フィルム支持手段から引き出された前記透明フィルムの前記対向面を、前記基材支持手段から引き出された前記基材の前記一面にガイドして、前記粘着部を介して接着させるためのガイド部材と
を備えていることを特徴とするテープカセット。
【請求項３】
前記透明フィルムの前記対向面の反対面には、フッ素樹脂がコーティングされていることを特徴とする請求項２に記載のテープカセット。
【請求項４】
請求項２又は３に記載のテープカセットであって、前記透明フィルムの長手方向に沿って前記ラベルテープの位置を検出するためのマークが前記所定間隔毎に複数設けられたテープカセットが着脱可能に装着される印刷装置であって、
前記基材の前記一面に、前記インクリボンを介して、文字、図形又は記号を印刷する印刷手段と、
当該印刷手段によって印刷された前記基材の前記一面に対して、前記透明フィルムの前記対向面が前記粘着部を介して接着され、前記送出口から送出された前記ラベルテープを外部に排出するための排出口と
を備え、
前記送出口から前記排出口までの前記ラベルテープの搬送路には、
前記透明フィルムの前記マークを検出するマーク検出手段と、
当該マーク検出手段より、前記ラベルテープの搬送方向下流側に配置され、前記ラベルテープを幅方向で切断する切断手段と
が設けられ、
前記マーク検出手段が前記マークを検出した場合に、前記切断手段に前記ラベルテープを切断することを指示する切断指示手段を備えていることを特徴とする印刷装置。
【請求項５】
前記マークは、前記粘着部の近傍に設けられていることを特徴とする請求項４に記載の印刷装置。
【請求項６】
請求項２又は３に記載のテープカセットであって、前記粘着部が前記ラベルテープの位置を検出するためのマークとして機能するテープカセットが着脱可能に装着される印刷装置であって、
前記基材の前記一面に、前記インクリボンを介して、文字、図形又は記号を印刷する印刷手段と、
当該印刷手段によって印刷された前記基材の前記一面に対して、前記透明フィルムの前記対向面が前記粘着部を介して接着され、前記送出口から送出された前記ラベルテープを外部に排出するための排出口と
を備え、
前記送出口から前記排出口までの前記ラベルテープの搬送路には、
前記透明フィルムの前記粘着部を検出する粘着部検出手段と、
当該粘着部検出手段より、前記ラベルテープの搬送方向下流側に配置され、前記ラベルテープを幅方向で切断する切断手段と
が設けられ、
前記粘着部検出手段が前記粘着部を検出した場合に、前記切断手段に前記ラベルテープを切断することを指示する切断指示手段を備えていることを特徴とする印刷装置。
【請求項７】
前記インクリボンは、少なくとも前記透明フィルムと同一色の部分を含み、
前記印刷手段によって印刷される文字、図形又は記号の色を、前記透明フィルムと同一色に指定する色指定手段と、
当該色指定手段によって前記透明フィルムと同一色が指定された場合に、前記基材の前記一面における前記印刷手段によって印刷される文字、図形又は記号の位置を、前記インクリボンにおける前記透明フィルムと同一色の部分に相対する位置に制御する印刷位置制御手段と
を備えていることを特徴とする請求項４乃至６の何れかに記載の印刷装置。
【発明の詳細な説明】
【技術分野】
【０００１】
本発明は、ラベルテープ、テープカセット及び印刷装置に関し、詳細には、単語カードとして利用可能なラベルテープ、当該ラベルテープを収納するテープカセット、当該テープカセットを着脱可能に装着する印刷装置に関する。
【背景技術】
【０００２】
従来、学習者は英単語などを覚えるために単語カードを作ることが多い。例えば、市販の単語カードの表面に英単語を手書きし、裏面にその英単語の日本語訳を手書きするということが行われている。そして、きれいな文字で作りたいのであれば、周知のテープ印刷装置で作ったテープを単語カードに貼るとか、ワープロなどで打ったものを市販の単語カードに貼るという方法がある。また、英単語の意味を辞書等を使って調べる等の煩わしさを避けるために、例えば、第１言語（英語）を入力すると、それが第２言語（日本語）に翻訳されて、その入力した第１言語と第２言語とをテープに印刷することができるテープ印刷装置が提案されている（例えば、特許文献１参照）。このテープ印刷装置では、入力された第１言語と翻訳された第２言語とがテープに並列に印刷される。そして、その作成されたテープを２つ折りにして一枚の単語カードとして使用することができる。
【０００３】
また、英単語等を覚える他の学習方法としては、有色（例えば赤色）の透明シートを用いる方法がある。これは英単語等を覚える際などに用いられ、例えば、テープ印刷装置によって単語の意味の部分を赤い色で印刷しておき、赤色透明シートを当該部分に載せることで判読できないようにして、その単語の意味を覚えようとすることができる。
【特許文献１】特開平９−１０９４７０号公報
【発明の開示】
【発明が解決しようとする課題】
【０００４】
しかしながら、このような学習方法を通勤通学途中に行うためには、単語帳の他に赤色透明シートを常に持ち歩かなければならないため、非常に煩わしいという問題点があった。さらに、単語カードを一枚一枚めくる毎に、その単語カードの文字部分の上に一枚の赤色透明シートを載せなければならないため、非常に面倒という問題点もあった。
【０００５】
本発明は、上記課題を解決するためになされたものであり、単語カードとして使い勝手の良いラベルテープ、該ラベルテープを作成するためのテープカセット、印刷装置を提供することを目的とする。
【課題を解決するための手段】
【０００６】
上記目的を達成するために、請求項１に係る発明のラベルテープは、テープ状の基材と、当該基材の一面に重ねられる有色の透明フィルムと、当該透明フィルムの前記基材に対向する対向面の長手方向一端部側に設けられた粘着部とを備え、前記基材の前記一面に対して、前記透明フィルムの前記対向面が前記粘着部を介して接着され、前記基材の前記一面には、前記透明フィルムと同一色の文字、図形又は記号が印刷されていることを特徴とする。
【０００７】
また、請求項２に係る発明のテープカセットは、テープ状の基材と、当該基材の一面に重ねられる有色の透明フィルムと、前記基材の前記一面に、少なくとも前記透明フィルムと同一色の文字、図形又は記号を印刷するためのインクリボンとを収納し、前記透明フィルムの前記基材に対向する対向面に設けられた粘着部を介して、前記透明フィルムの前記対向面が接着されることによって作成されるラベルテープを外部に送出する送出口を備え、印刷装置に着脱可能に装着されるテープカセットであって、前記粘着部は、前記透明フィルムの前記対向面に、前記透明フィルムの長手方向に沿って所定間隔毎に複数設けられ、前記基材を巻回して支持する基材支持手段と、前記インクリボンを巻回して支持するインクリボン支持手段と、前記透明フィルムを巻回して支持するフィルム支持手段と、当該フィルム支持手段から引き出された前記透明フィルムの前記対向面を、前記基材支持手段から引き出された前記基材の前記一面にガイドして、前記粘着部を介して接着させるためのガイド部材とを備えている。
【０００８】
また、請求項３に係る発明のテープカセットは、請求項２に記載の発明の構成に加え、前記透明フィルムの前記対向面の反対面には、フッ素樹脂がコーティングされていることを特徴とする。
【０００９】
また、請求項４に係る発明の印刷装置は、請求項２又は３に記載のテープカセットであって、前記透明フィルムの長手方向に沿って前記ラベルテープの位置を検出するためのマークが前記所定間隔毎に複数設けられたテープカセットが着脱可能に装着される印刷装置であって、前記基材の前記一面に、前記インクリボンを介して、文字、図形又は記号を印刷する印刷手段と、当該印刷手段によって印刷された前記基材の前記一面に対して、前記透明フィルムの前記対向面が前記粘着部を介して接着され、前記送出口から送出された前記ラベルテープを外部に排出するための排出口とを備え、前記送出口から前記排出口までの前記ラベルテープの搬送路には、前記透明フィルムの前記マークを検出するマーク検出手段と、当該マーク検出手段より、前記ラベルテープの搬送方向下流側に配置され、前記ラベルテープを幅方向で切断する切断手段とが設けられ、前記マーク検出手段が前記マークを検出した場合に、前記切断手段に前記ラベルテープを切断することを指示する切断指示手段を備えている。
【００１０】
また、請求項５に係る発明の印刷装置は、請求項４に記載の発明の構成に加え、前記マークは、前記粘着部の近傍に設けられていることを特徴とする。
【００１１】
また、請求項６に係る発明の印刷装置は、請求項２又は３に記載のテープカセットであって、前記粘着部が前記ラベルテープの位置を検出するためのマークとして機能するテープカセットが着脱可能に装着される印刷装置であって、前記基材の前記一面に、前記インクリボンを介して、文字、図形又は記号を印刷する印刷手段と、当該印刷手段によって印刷された前記基材の前記一面に対して、前記透明フィルムの前記対向面が前記粘着部を介して接着され、前記送出口から送出された前記ラベルテープを外部に排出するための排出口とを備え、前記送出口から前記排出口までの前記ラベルテープの搬送路には、前記透明フィルムの前記粘着部を検出する粘着部検出手段と、当該粘着部検出手段より、前記ラベルテープの搬送方向下流側に配置され、前記ラベルテープを幅方向で切断する切断手段とが設けられ、前記粘着部検出手段が前記粘着部を検出した場合に、前記切断手段に前記ラベルテープを切断することを指示する切断指示手段を備えている。
【００１２】
また、請求項７に係る発明の印刷装置は、請求項４乃至６の何れかに記載の発明の構成に加え、前記インクリボンは、少なくとも前記透明フィルムと同一色の部分を含み、前記印刷手段によって印刷される文字、図形又は記号の色を、前記透明フィルムと同一色に指定する色指定手段と、当該色指定手段によって前記透明フィルムと同一色が指定された場合に、前記基材の前記一面における前記印刷手段によって印刷される文字、図形又は記号の位置を、前記インクリボンにおける前記透明フィルムと同一色の部分に相対する位置に制御する印刷位置制御手段とを備えている。
【発明の効果】
【００１３】
請求項１に係る発明のラベルテープは、基材の一面に対して透明フィルムが粘着部を介して接着され、その基材の一面には、透明フィルムと同一色の文字、図形又は記号が印刷されているので、透明フィルムを介すことによって、基材に印刷された文字等を判読できないようにすることができる。さらに、基材に透明フィルムが粘着部を介して接着されているので、ラベルテープとは別に有色の透明フィルムを併せ持つ煩わしさを解消することができる。さらに、基材の一面の上に透明フィルムが重ねられているので、透明フィルムをめくることによって、基材の一面に印刷された文字等を判読することができる。
【００１４】
また、請求項２に係る発明のテープカセットは、印刷装置に着脱可能に装着されるものである。基材は、基材支持手段から引き出され、インクリボンは、インクリボン支持手段から引き出される。このインクリボンは、少なくとも透明フィルムと同一色の文字、図形又は記号を印刷するものである。よって、印刷装置によって、基材に透明フィルムと同一色の文字、図形又は記号を印刷することができる。また、フィルム支持手段から引き出された透明フィルムの対向面は、ガイド部材によって、基材支持手段から引き出された基材の一面にガイドされるので、透明フィルムの対向面に設けられた粘着部が基材の一面に接着する。これにより、基材と透明フィルムとが粘着部を介して一体化されたラベルテープを送出口から送出することができる。また、粘着部は、透明フィルムの対向面に、透明フィルムの長手方向に沿って所定間隔毎に複数設けられているので、送出口から送出されたラベルテープを、所定間隔毎に切断することによって、透明フィルムの先端側が基材の一面の先端側に接着したラベルテープを作成することができ、単語カードとして利用することができる。
【００１５】
また、請求項３に係る発明のテープカセットでは、請求項２に記載の発明の効果に加え、透明フィルムの対向面の反対面には、フッ素樹脂がコーティングされているので、フィルム支持手段に巻回された状態において、透明フィルムの対向面に設けられた粘着部がその対向面に接触する反対面に接着してしまうことを防止できる。よって、フィルム支持手段から透明フィルムを容易に引き出すことができる。
【００１６】
また、請求項４に係る発明の印刷装置では、請求項２又は３に記載のテープカセットが着脱可能に装着される。さらに、そのテープカセットに収納された透明フィルムには、ラベルテープの位置を検出するためのマークが所定間隔毎に複数設けられている。そして、この印刷装置では、印刷手段がインクリボンを介すことによって、テープカセットの基材支持手段から引き出された基材の一面に対して、文字、図形又は記号を印刷できる。さらに、印刷された基材の一面に対して、透明フィルムの対向面が粘着部を介して接着されて作成されたラベルテープが、テープカセットの送出口から送出される。この送出口から送出されたラベルテープは、排出口までの搬送路に沿って搬送され、切断手段によって幅方向に切断される。そして、この搬送路では、ラベルテープの透明フィルムに設けられたマークがマーク検出手段に検出される。すると、切断指示手段の指示によって、切断手段がラベルテープを切断する。ここで、粘着部及びマークは、透明フィルムの長手方向に沿って所定間隔毎にそれぞれ設けられている。よって、マーク検出手段によってマークが検出される毎に切断手段によって切断されると、１枚のラベルテープに対して１つの粘着部を配置させることができる。これにより、基材と透明フィルムとが１つの粘着部によって接着されたラベルテープを作成することができる。
【００１７】
また、請求項５に係る発明の印刷装置では、請求項４に記載の発明の効果に加え、マークは粘着部の近傍に設けられているので、マーク検出手段によってマークが検出されたときに切断指示手段の指示によって切断手段に切断されることによって、粘着部が切断端側に配置されたラベルマークを作成することができる。これにより、粘着部を基材に印刷された文字等にかからないようにすることができる。
【００１８】
また、請求項６に係る発明の印刷装置では、請求項２又は３に記載のテープカセットが着脱可能に装着される。そして、この印刷装置では、印刷手段がインクリボンを介すことによって、テープカセットの基材支持手段から引き出された基材の一面に対して、文字、図形又は記号を印刷できる。さらに、印刷された基材の一面に対して、透明フィルムの対向面が粘着部を介して接着されて作成されたラベルテープが、テープカセットの送出口から送出される。この送出口から送出されたラベルテープは、排出口までの搬送路に沿って搬送され、切断手段によって幅方向に切断される。そして、この搬送路では、ラベルテープの透明フィルムに設けられた粘着部が粘着部検出手段に検出されると、切断指示手段の指示によって、切断手段がラベルテープを切断する。ここで、粘着部は、透明フィルムの長手方向に沿って所定間隔毎にそれぞれ設けられている。よって、粘着部検出手段によって粘着部が検出される毎に切断手段によって切断されると、１枚のラベルテープに対して１つの粘着部を配置させることができる。これにより、基材と透明フィルムとが１つの粘着部によって接着されたラベルテープを作成することができる。さらに、粘着部検出手段によって粘着部が検出されたときに切断指示手段の指示によって切断手段に切断されることによって、粘着部が切断端側に配置されたラベルテープを作成することができる。これにより、粘着部を基材に印刷された文字等にかからないようにすることができる。
【００１９】
また、請求項７に係る発明の印刷装置では、請求項４乃至６の何れかに記載の発明の効果に加え、インクリボンは、少なくとも透明フィルムと同一色の部分を含むので、基材の一面に対して、透明フィルムと同一色の文字等を印刷することができる。さらに、色指定手段によって透明フィルムと同一色が指定された場合、印刷位置制御手段は、基材の一面における印刷手段によって印刷される文字、図形又は記号の位置を、インクリボンにおける透明フィルムと同一色の部分に相対する位置に制御することができる。これにより、色指定手段によって指定された場合に限って、基材の一面に透明フィルムと同一色の文字等を印刷することができる。
【発明を実施するための最良の形態】
【００２０】
以下、本発明の一実施形態であるテープ印刷装置１について、図面を参照して説明する。なお、参照する図面は、本発明が採用しうる技術的特徴を説明するために用いられるものであり、記載されている装置の構成、各種処理のフローチャートなどは、特に特定的な記載がない限り、それのみに限定する趣旨ではなく、単なる説明例である。
【００２１】
なお、本実施形態のテープ印刷装置１は、学習用の単語カードとして利用できる単語テープ８０を作成できるものである。具体的には、赤色で単語が印刷された紙テープ８２の表面に、透明な赤色フィルムテープ８３が重ねられ、紙テープ８２と赤色フィルムテープ８３とが長手方向一端側で接着されて一体となった単語テープ８０を作成できる点に特徴を有する。
【００２２】
はじめに、テープ印刷装置１の概略構成について、図１〜図４，図１１を参照して説明する。図１は、テープ印刷装置１の平面図であり、図２は、テープカセット５１の斜視図であり、図３は、上ケース５２を取り外した状態の下ケース５３の平面図であり、図４は、カセット検出部５の検出スイッチ６と、識別部６６の識別孔６６Ａとの関係を示す説明図であり、図１１は、単語テープ８０の作成機構を示す説明図である。
【００２３】
図１に示すように、テープ印刷装置１は、テープカセット５１（図２参照）を収納するカセット収納部２を後部に備え、前部には、複数のキー３Ａが配列されたキーボード３を備えている。キー３Ａは、アルファベット、ひらがな、カタカナ、数字、記号等を入力するための文字キー、改行指令のための改行キー、改ブロック指令のための改ブロックキー、変換キー、翻訳指示キー、確定キー及び印刷フォーマット設定、文書データ作成、印刷実行等、各種機能のコマンドを各々入力するための複数の機能キーから構成されている。さらに、カセット収納部２とキーボード３との間には、キーボード３で入力された文字が表示される液晶表示装置４が設けられている。
【００２４】
また、カセット収納部２の内側の後方右隅には、カセット検出部５が設けられている。このカセット検出部５には、複数の貫通孔１９が設けられ、各貫通孔１９からは、検出センサ基板１６（図４参照）上に設けられた検出スイッチ６のスイッチ端子軸６Ａが突出している。検出スイッチ６は、後述するように、テープカセット５１の識別孔６６Ａ（図３，図４参照）との組合せにより、カセット収納部２に収納されたテープカセット５１を検出するものである。
【００２５】
一方、カセット収納部２の内側の前方左側には、テープカセット５１に収納された紙テープ８２の印刷面に印刷する印刷機構が設けられている。この印刷機構は、図１１に示すように、サーマルヘッド１１と、該サーマルヘッド１１に相対し、接離可能に設けられたプラテンローラ１７と、後述するテープカセット５１のテープ送りローラ６２（図３，図４参照）に相対し、接離可能に設けられた圧接ローラ１８とを主体に構成されている。さらに、この印刷機構によって印刷され、作成された単語テープ８０の搬送方向下流側には、単語テープ８０の赤色フィルムテープ８３に設けられた識別マーク９１（図９参照）を検出するためのフォトセンサ２０が、単語テープ８０の表面となる赤色フィルムテープ８３に対向して設けられている。そして、そのフォトセンサ２０の搬送方向下流側には、単語テープ８０を幅方向に切断するカット機構２２が設けられている。さらに、そのカット機構２２の下流側には、カット機構２２によって切断された単語テープ８０を外部に排出するためのテープ排出口１０が設けられている。
【００２６】
フォトセンサ２０は、図１１に示すように、図示しない発光素子と受光素子とからなる反射型のフォトセンサである。このフォトセンサ２０では、発光素子から照射され、単語テープ８０の表面となる赤色フィルムテープ８３に反射された反射光を受光素子が検出し、その受光素子から反射光レベルに相当する電圧値が制御回路部１００（図５参照）に出力される。そして、フォトセンサ２０の前側を通過する単語テープ８０の赤色フィルムテープ８３に反射する反射光レベルは、後述する識別マーク９１において急激に低下するので、所定の閾値を設けることによって識別マーク９１を検出することができる。なお、後述するが、赤色フィルムテープ８３に設けられた識別マーク９１は、単語テープ８０の位置検出のためのマークである。
【００２７】
カット機構２２は、図１１に示すように、単語テープ８０の搬送路の後ろ側に配置された固定刃２２ａと、搬送経路の前側に配置された移動刃２２ｂとから構成されている。移動刃２２ｂは、固定刃２２ａに対向して前後方向に移動可能に支持され、カットモータ３８（図５参照）によって前後方向に移動される。これにより、単語テープ８０を幅方向に切断することができる。
【００２８】
次に、カセット収納部２に収納されるテープカセット５１の構成について説明する。図２に示すように、テープカセット５１は、上ケース５２と下ケース５３とから構成されている。上ケース５２には、後述するフィルムテープスプール６８（図３参照）、紙テープスプール６９（図３参照）、リボン巻取りスプール７１（図３参照）をそれぞれ回動可能に支持する支持孔５５、支持孔５６、支持孔５７が設けられている。なお、下ケース５３にも、上ケース５２の支持孔５５、支持孔５６、支持孔５７に対向する各支持孔（図示外）が同様に設けられている。
【００２９】
そして、テープカセット５１の前側（図２中右下側）には、紙テープスプール６９（図３参照）から引き出された紙テープ８２と、リボンスプール７０から引き出されたインクリボン８５を案内し、開口５８Ａから外方に送出するアーム部５８が設けられている。さらに、そのアーム部５８の後方には、テープ印刷装置１のサーマルヘッド１１（図１１参照）が装着されるヘッド装着部５９が設けられている。
【００３０】
このヘッド装着部５９において、アーム部５８の内側面に対向する壁部５９Ａには、テープカセット５１の後方（図中左上方）に向かって入り込んだ第１嵌合部６０が形成されている。ヘッド装着部５９の左側側壁には、第１嵌合部６０と直行する方向（壁部５９Ａに沿った方向）に入り込んだ第２嵌合部６１が形成されている。そして、これら第１嵌合部６０及び第２嵌合部６１に対して、サーマルヘッド１１を支持するヘッドホルダ（図示外）に形成された２つの突起部が嵌合するようになっている。これにより、ヘッド装着部５９に対して、紙テープ８２及びインクリボン８５に干渉することなく、サーマルヘッド１１を確実に装着することができる。
【００３１】
さらに、図２に示すように、紙テープ８２及びインクリボン８５の搬送方向において、ヘッド装着部５９の下流側には、後述するテープ送りローラ６２を回動可能に支持する支持孔６３が設けられている。テープ送りローラ６２は、それに対向する圧接ローラ１８との協働により、紙テープスプール６９から紙テープ８２を引き出すとともに、フィルムテープスプール６８から赤色フィルムテープ８３を引き出して、紙テープ８２の印刷面にガイドして接着させるものである。また、テープ送りローラ６２の近傍位置には、上下一対の規制部材６４、６５が設けられている。これら規制部材６４，６５は、サーマルヘッド１１の下流側にて文字が印刷され、且つ赤色フィルムテープ８３が重ねられた紙テープ８２を幅方向に規制するものである。
【００３２】
次に、テープカセット５１の内部構成について説明する。図３に示すように、下ケース５３の後部左側には、赤色フィルムテープ８３を巻回したフィルムテープスプール６８が、支持孔５５（図２参照）を介して回動可能に支持されている。さらに、そのフィルムテープスプール６８の右側には、紙テープ８２を巻回した紙テープスプール６９が、支持孔５６（図２参照）を介して回動可能に支持されている。また、下ケース５３の前部右側には、インクリボン８５を巻回したリボンスプール７０が回動可能に支持されている。さらに、フィルムテープスプール６８とリボンスプール７０との間には、リボンスプール７０からインクリボン８５を引き出すとともに、印刷で既に使用されたインクリボン８５を巻き取るためのリボン巻取りスプール７１が、支持孔５７（図２参照）を介して回動可能に支持されている。
【００３３】
また、下ケース５３の右後縁の、テープカセット５１をテープ印刷装置１のカセット収納部２にセットしたときにカセット検出部５に当接する位置には、識別部６６が形成されている。この識別部６６には、テープカセット５１の種類（テープカセット５１は通常タイプか、単語カード作成タイプかの種別、通常タイプのテープはレセプター型か、ラミネート型かの種別、テープがリサイクル可能なものであるか否か等）を検出するための識別孔６６Ａが複数設けられている。なお、この識別部６６に設けられた識別孔６６Ａの形成パターンは、各テープカセット５１の種類に従って異なるパターンとされている。そして、図４に示すように、各識別孔６６Ａには、テープ印刷装置１のカセット検出部５に配設された複数個の検出スイッチ６のスイッチ端子軸６Ａが挿入される。例えば、識別孔６６Ａが設けられている箇所に対向した検出スイッチ６はオフとなる。また、識別孔６６Ａが設けられていない箇所に対向した検出スイッチ６は、識別部６６の基板によりスイッチ端子軸６Ａが押し込まれるためオンとなる。これら複数の検出スイッチのオン・オフの組合せに基づいて、テープカセット５１の種類が検出される。
【００３４】
次に、テープカセット５１における紙テープ８２、インクリボン８５、赤色フィルムテープ８３の搬送経路について説明する。図３に示すように、紙テープ８２は、ヘッド装着部５９の下流側に設けられたテープ送りローラ６２と、テープ印刷装置１に設けられた圧接ローラ１８（図１１参照）との協働により、紙テープスプール６９から引き出される。そして、その引き出された紙テープ８２は、アーム部５８の開口５８Ａからヘッド装着部５９の前側（図中下側）を通過し、テープ送出口２７からテープカセット５１の外方へ送出される。
【００３５】
また、インクリボン８５は、リボン巻取りスプール７１によってリボンスプール７０から引き出される。そして、アーム部５８の開口５８Ａからヘッド装着部５９の前側を通過した後、規制部材６４，６５（規制部材６４は図２参照）の内方に形成された案内部７５に案内され、リボン巻取りスプール７１の周囲に巻き取られる。なお、リボン巻取りスプール７１の下部には、リボン巻き取りスプール７１が逆転して巻き取ったインクリボン８５が緩んでしまうのを防止するためのクラッチバネ（図示外）が取り付けられている。
【００３６】
さらに、赤色フィルムテープ８３は、ヘッド装着部５９の下流側に設けられたテープ送りローラ６２と、テープ印刷装置１に設けられた圧接ローラ１８（図１１参照）との協働により、フィルムテープスプール６８から引き出される。そして、その引き出された赤色フィルムテープ８３は、テープ送りローラ６２と圧接ローラ１８との間にガイドされて巻き込まれながら、紙テープ８２の印刷面に重ねられて後述する粘着部９２を介して接着される。
【００３７】
次に、テープ印刷装置１の電気的構成について、図５を参照して説明する。図５は、テープ印刷装置１の電気的構成を示すブロック図である。テープ印刷装置１は、制御基板上に形成される制御回路部１００を備える。この制御回路部１００は、各機器を制御するＣＰＵ１０１を中心に備え、該ＣＰＵ１０１に接続されたＲＯＭ１０２、ＣＧＲＯＭ１０３、ＲＡＭ１０４、フラッシュメモリ１０５及び入出力インターフェース１０６から構成されている。そして、入出力インターフェース１０６には、上述した検出スイッチ６と、キーボード３と、フォトセンサ２０と、液晶表示装置４に表示データを出力するためのビデオＲＡＭ（図示外）を有するＬＣＤＣ（ディスプレイコントローラ）１０７と、サーマルヘッド１１を駆動するための駆動回路１０８と、テープ送りモータ３７を駆動するための駆動回路１０９と、カットモータ３８を駆動するための駆動回路１１０とが各々接続されている。なお、ＣＧＲＯＭ１０３は、多数の文字の各々に関して、表示のためのドットパターンデータをコードデータに対応させて格納するものである。
【００３８】
ＲＯＭ１０２について、図６を参照して説明する。図６は、ＲＯＭ１０２の記憶領域を示す概念図である。ＲＯＭ１０２には、ＣＧデータ記憶領域１２１と、プログラム記憶領域１２２と、その他データ領域１２３が設けられている。ＣＧデータ記憶領域１２１には、アルファベット、漢字、ひらがな、カタカナ、数字、記号等、多数の表記記号の各々に関して、印刷用ドットパターンデータがゴシック体、明朝体等の書体毎に分類され、各書体毎に６種類（１６、２４、３２、４８、６４、９６のドットサイズ）の印刷文字サイズ分、コードデータに対応させて格納されている。また、グラフィック画像を印刷するための、グラフィックパターンデータも記憶されている。プログラム記憶領域１２２には、キーボード３から入力された文字のコードデータに対応させてＬＣＤＣ１０７を制御する表示駆動制御プログラム、プリントバッファ１４２（図７参照）のデータを順次読み出してサーマルヘッド１１やテープ送りモータ３７を駆動する印刷駆動制御プログラム、カセット収納部２に収納されたテープカセットの種類に応じて、印刷制御を行うテープ印刷制御プログラム、その他テープ印刷装置１の制御上必要な各種のプログラムが格納されている。ＣＰＵ１０１は、これらＲＯＭ１０２に記憶された各種プログラムに基づいて、各種の演算を行う。
【００３９】
ＲＡＭ１０４について、図７を参照して説明する。図７は、ＲＡＭ１０４の記憶領域を示す概念図である。ＲＡＭ１０４には、テキストバッファ１４１、プリントバッファ１４２、及びその他データ領域１４３が設けられている。テキストバッファ１４１には、キーボード３から入力された英単語のコードデータと、その翻訳語である日本語のコードデータとが文書データとして記憶される。プリントバッファ１４２には、複数の文字の印刷用ドットパターンや各ドットの形成エネルギー量である印加パルス数等が印刷用データとして記憶されており、サーマルヘッド１１は、このプリントバッファ１４２に記憶されている印刷用データに従って印刷を行う。
【００４０】
フラッシュメモリ１０５について、図８を参照して説明する。図８は、フラッシュメモリ１０５の記憶領域を示す概念図である。フラッシュメモリ１０５は、不揮発性の記憶媒体である。このフラッシュメモリ１０５には、英和変換辞書記憶領域１５１と、和英変換辞書記憶領域１５２等が設けられている。英和変換辞書記憶領域１５１には、英単語をキーとして、当該英単語に対応する日本語の単語が格納されている。そして、英単語はその単語を構成する文字列を１文字毎にコード化してなる形態にて記憶されており、英単語に基づいて決定された番地に日本語の単語が格納されている。また、和英変換辞書記憶領域１５２には、上記した英和変換辞書記憶領域１５１と同様の方式で、日本語の単語に対応する英単語が格納されている。なお、上記和英／英和辞書では単語を単位として変換することを示したが、これだけに限らず簡単な日常会話及び熟語などに変換させることも可能である。
【００４１】
次に、テープカセット５１に収納される赤色フィルムテープ８３について、図９を参照して説明する。図９は、赤色フィルムテープ８３の裏面側から見た平面図である。赤色フィルムテープ８３の裏面には、テープ印刷装置１のフォトセンサ２０によって検出される黒色の識別マーク９１が、赤色フィルムテープ８３の長手方向に向かって所定間隔毎に印刷されている。そして、互いに隣り合う識別マーク９１と識別マーク９１との間の距離は、テープ印刷装置１によって作成される一枚の単語テープ８０（図１４参照）の長さに相当する。よって、単語テープ８０の長さを１つの英単語が印刷可能な程度にするため、互いに隣り合う識別マーク９１と識別マーク９１との離間する距離を調整すればよい。さらに、赤色フィルムテープ８３の搬送方向において、各識別マーク９１の上流側近傍には、粘着剤が幅方向に塗布された粘着部９２が各々設けられている。これにより、一枚の単語テープ８０を、紙テープ８２と赤色フィルムテープ８３とが１つの粘着部９２によって接着された状態（図１４参照）とすることができる。
【００４２】
また、上述したように、赤色フィルムテープ８３は、フィルムテープスプール６８に対して、自身の裏面を外側に向けた状態で巻回して支持されている。よって、粘着部９２が設けられた裏面と表面とが対向して接触するので、赤色フィルムテープ８３の表面はフッ素樹脂コーティングされている。これにより、粘着部９２が表面に貼り付いてしまうことを防止できるので、フィルムテープスプール６８から赤色フィルムテープ８３をスムーズに引き出すことができる。
【００４３】
次に、テープカセット５１に収納されるインクリボン８５について、図１０を参照して説明する。図１０は、インクリボン８５の平面図である。本実施形態で使用されるインクリボン８５の転写面は、幅方向一端側に赤色のインクを染みこませた赤色転写領域８５ａと、幅方向他端側に黒色のインクを染みこませた黒色転写領域８５ｂとを備えている。そして、このようなインクリボン８５の転写面が紙テープ８２の印刷面に重ねられる。このとき、赤色転写領域８５ａは紙テープ８２の印刷面の上段に、黒色転写領域８５ｂは紙テープ８２の印刷面の下段に配置される。例えば、紙テープ８２の印刷面の上段に赤色で「本」、その下段に黒色で「ＢＯＯＫ」と印刷する場合、ＲＡＭ１０４のテキストバッファ１４１には、「本」のコードデータと「ＢＯＯＫ」のコードデータとが、この順番で、文書データとして記憶される。そして、プリントバッファ１４２には、テキストバッファ１４１に記憶された文書データを元に印刷データが展開される。そして、サーマルヘッド１１では、そのＲＡＭ１０４のプリントバッファ１４２に記憶された印刷データを元に、インクリボン８５の黒色転写領域８５ｂで「ＢＯＯＫ」が紙テープ８２の下側に転写され、インクリボン８５の赤色転写領域８５ａで「本」が紙テープ８２の上側に転写される。このようにして、赤色の「本」と、黒色の「ＢＯＯＫ」とが上下２段に配列した形態で、紙テープ８２の印刷面に印刷される（図１４参照）。
【００４４】
次に、テープ印刷装置１のＣＰＵ１０１による印刷制御処理について、図１２、図１３のフローチャートを参照して説明する。図１２は、ＣＰＵ１０１による印刷制御動作を示すフローチャートであり、図１３は、図１２の続きを示すフローチャートである。また、図１４は、テープ印刷装置１によって作成された単語テープ８０の斜視図である。なお、本説明では一例として、英単語「ＢＯＯＫ」をキーボード３で入力し、「ＢＯＯＫ」とその日本語訳である「本」とが上下に並んだ単語テープ８０を作成する場合について説明する。まず、テープ印刷装置１の起動スイッチ（図示外）がオンされ、カセット収納部２にテープカセット５１が装着される。すると、テープカセット５１の識別部６６がカセット検出部５によって検出される（Ｓ１）。つまり、カセット検出部５における複数の検出スイッチ６のオン・オフの組合せに基づいて、テープカセット５１の種類が検出される。
【００４５】
そして、カセット収納部２に単語テープ作成用のテープカセット５１が収納されているか否かが判断される（Ｓ２）。ここで、カセット収納部２に、レセプター型やラミネート型の印刷テープを収納するテープカセットが収納されている場合（Ｓ２：ＮＯ）、通常モードに従って、印刷機構によって印刷テープの一般的な印刷処理がなされる（Ｓ３）。そして、カット機構２２によって所望の長さで切断され、テープ排出口１０から外部に排出されて処理が終了する。
【００４６】
一方、カセット収納部２に、本発明にかかる単語テープ作成用のテープカセット５１が収納されている場合（Ｓ２：ＹＥＳ）、英単語を入力するようユーザを促すため、液晶表示装置４に「単語入力？」のメッセージが表示される（Ｓ４）。液晶表示装置４に表示されたメッセージを見たユーザは、キーボード３を押下することによって、英単語（例えば、「ＢＯＯＫ」）を１文字ずつ入力する。そこで、ユーザによるキーボード３の入力受付処理がなされる（Ｓ５）。さらに、キーボード３の確定キーが押下されたか否かが判断される（Ｓ６）。そして、確定キーが押下されるまでは（Ｓ６：ＮＯ）、ユーザによる単語入力が完了していないので、Ｓ５に戻って待機状態となる。
【００４７】
次いで、ユーザによって確定キーが押下されると（Ｓ６：ＹＥＳ）、キーボード３で入力された英単語が液晶表示装置４に表示される（Ｓ７）。これにより、ユーザはキーボード３で入力した英単語に間違いないかを確認することができる。次いで、キーボード３の翻訳指示キーが押下されたか否かが判断される（Ｓ８）。なお、翻訳指示キーが押下されるまでは（Ｓ８：ＮＯ）、Ｓ７に戻って、そのまま液晶表示装置４にメッセージを表示した状態で待機状態となる。
【００４８】
そして、ユーザによって翻訳指示キーが押下された場合（Ｓ８：ＹＥＳ）、フラッシュメモリ１０５の英和変換辞書記憶領域１５１に記憶された英単語に対応する日本語の単語の候補が呼び出され、そのうちの１つの日本語単語が液晶表示装置４に表示され、例えば、「本」と表示される（Ｓ９）。ここで、「ＢＯＯＫ」の日本語訳は、「本」以外に「帳簿」とか、「巻」などもある。よって、これら複数の日本語訳の中から所望の日本語訳を選択するために、キーボード３には次候補選択キーが設けられている。そこで、この次候補選択キーが押下されたか否かが判断される（Ｓ１０）。そして、所望の日本語訳でなければ、ユーザによって次候補選択キーが押下されるので（Ｓ１０：ＹＥＳ）、次の候補の日本語訳が表示され（Ｓ１１）、引き続き、次候補選択キーが押下されたか否かが監視される（Ｓ１０）。なお、キーボード３から日本語単語である「本」が入力された場合は、フラッシュメモリ１０５の和英変換辞書記憶領域１５２に記憶された英単語に対応する英単語の候補が呼び出され、そのうちの１つ英単語が液晶表示装置４に表示されるようになっている。
【００４９】
ところで、「ＢＯＯＫ」の日本語訳が「本」という訳でよければ、キーボード３の次候補選択キーを押下する必要がないので（Ｓ１０：ＮＯ）、続いて、キーボード３の確定キーが押下されたか否かが判断される（Ｓ１２）。そして、確定キーが押下されない場合は（Ｓ１２：ＮＯ）、Ｓ１０に戻って、次候補選択キーが押下されたか否かが再び監視される。つまり、確定キーが押下されるまでは、ユーザによって日本語訳が確定したとはいえないからである。
【００５０】
次いで、確定キーが押下された場合（Ｓ１２：ＹＥＳ）、英単語「ＢＯＯＫ」の日本語訳は「本」に確定されたので、例えば、液晶表示装置４に「黒色：ＢＯＯＫ、赤色：本」のメッセージが表示される（Ｓ１３）。さらに、赤色で印刷する単語を選択するために、キーボード３の選択キーが押下されたか否かが判断される（Ｓ１４）。つまり、ユーザは、選択キーを押下することによって、赤色で印刷する単語と黒色で印刷する単語とを相互に切り替えることができる。例えば、ユーザが赤色フィルムテープ８３を介して判読不能にしたい単語が「ＢＯＯＫ」であれば、「ＢＯＯＫ」を赤色に、「本」を黒色にするために選択キーを押下する。よって、選択キーが押下された場合は（Ｓ１４：ＹＥＳ）、液晶表示装置４に「黒色：本、赤色：ＢＯＯＫ」のメッセージが表示され（Ｓ１５）、続いて選択キーが押下されたか否かが再度判断される（Ｓ１４）。
【００５１】
そして、キーボード３の確定キーが押下されたか否かが判断される（Ｓ１６）。そして、確定キーが押下されるまでは（Ｓ１６：ＮＯ）、Ｓ１４に戻って、選択キーが押下されたか再び監視される。そして、ユーザによって確定キーが押下された場合（Ｓ１６：ＹＥＳ）、ＲＡＭ１０４のプリントバッファ１４２において、液晶表示装置４に表示された内容に従って、「ＢＯＯＫ」と「本」の文字列の配列がなされる（Ｓ１７）。即ち、プリントバッファ１４２には、紙テープ８２の所定の印刷範囲に相当する印刷領域のドットパターンが展開される。そして、この印刷領域の下側には、「ＢＯＯＫ」の文字列が所定の書体、文字ピッチでドットパターンデータに展開され、印刷領域の上側には、「本」の文字列が所定の書体でドットパターンデータに展開される。
【００５２】
次に、印刷領域にこれらのドットパターンデータが収まるか否かが判断される（Ｓ１８）。ここで、印刷範囲にそれらのドットパターンデータが入らない場合は（Ｓ１８：ＮＯ）、１行以内での印刷ができないので設定されている文字書体の大きさを小さく変更して、プリントバッファ１４２への展開が再度行われる（Ｓ１９）。一方、印刷領域にこれらのドットパターンデータが入る場合は（Ｓ１８：ＹＥＳ）、液晶表示装置４に「印刷しますか？」のメッセージが表示される（Ｓ２０）。そして、キーボード３の確定キーが押下されたか否かが判断され（Ｓ２１）、確定キーが押下されるまではＳ２１に戻って確定キーの押下が監視される。
【００５３】
そして、確定キーが押下された場合は（Ｓ２１：ＹＥＳ）、テープ送りローラ６２が回転することによって、単語テープ８０の搬送が開始される（Ｓ２２）。そして、テープ送りローラ６２と圧接ローラ１８との協働によって、紙テープ８２が紙テープスプール６９から引き出され、インクリボン８５がリボンスプール７０から引き出され、赤色フィルムテープ８３がフィルムテープスプール６８から引き出される。次いで、ＲＡＭ１０４のプリントバッファ１４２に記憶されているドットパターンデータに基づいて、紙テープ８２の印刷面に対してサーマルヘッド１１による印刷処理が実行される（Ｓ２３）。
【００５４】
ここで、プリントバッファ１４２において、「ＢＯＯＫ」のドットパターンデータは印刷領域の下側に、「本」のドットパターンデータは印刷領域の上側に配列されている。さらに、サーマルヘッド１１では、紙テープ８２の印刷面に対してインクリボン８５が対向して重ねられる。そして、紙テープ８２の印刷面の上側に、インクリボン８５の赤色転写領域８５ａが対向し、インクリボン８５の黒色転写領域８５ｂが対向する。したがって、この状態でサーマルヘッド１１による転写処理がなされることによって、紙テープ８２の印刷面の下側に黒色で「ＢＯＯＫ」と印刷され、その上側に赤色で「本」と印刷される。
【００５５】
そして、図１１に示すように、サーマルヘッド１１によって印刷された紙テープ８２は、テープ送りローラ６２と圧接ローラ１８との協働によってテープ送出口２７に搬送される。また、インクリボン８５は案内部７５によって紙テープ８２の印刷面から離れ、リボン巻取りスプール７１の周囲に巻き取られる。そして、テープ送りローラ６２では、フィルムテープスプール６８から引き出された赤色フィルムテープ８３が巻き込まれる。さらに、紙テープ８２の印刷面に対して、赤色フィルムテープ８３の粘着部９２が付いた裏面が重ねられる。そして、テープ送りローラ６２と圧接ローラ１８との間で圧接されることによって、粘着部９２を介して互いに接着される。こうして、カット機構２２に切断される前の長尺状の単語テープ８０が作成される。
【００５６】
次いで、紙テープ８２と赤色フィルムテープ８３とが互いに接着してなる単語テープ８０が、テープカセット５１のテープ送出口２７から外方に送出され、テープ印刷装置１のテープ排出口１０までの搬送路に沿って搬送される。そして、赤色フィルムテープ８３に設けられた識別マーク９１がフォトセンサ２０によって検出されたか否かが判断される（Ｓ２４）。なお、識別マーク９１は、赤色フィルムテープ８３の裏面に設けられているが、赤色フィルムテープ８３は透明フィルムであるので、フォトセンサ２０による検出が可能である。そして、識別マーク９１が検出されるまでは（Ｓ２４：ＮＯ）、フォトセンサ２０に対して識別マーク９１がまだ通過していないので、Ｓ２４に戻って待機状態となる。
【００５７】
次いで、識別マークが検出された場合は（Ｓ２４：ＹＥＳ）、テープ送りローラ６２の駆動を停止させることによって、単語テープ８０の搬送が停止される（Ｓ２５）。さらに、カット機構２２によって単語テープ８０の切断処理（Ｓ２６）がなされる。こうして、図１４に示す一枚の単語テープ８０がテープ排出口１０から排出され、処理が終了する。このように、単語テープ８０は、フォトセンサ２０の下流側の近傍に位置するカット機構２２で切断されるので、フォトセンサ２０で識別マーク９１が検出された時点で切断されると、識別マーク９１が単語テープ８０の先端側（切断端側）の余白に配置される。そして、その識別マーク９１の近傍に粘着部９２が配置されているので、粘着部９２を１枚の単語テープ８０の先端側（切断端側）の余白に配置することができる。よって、図１４に示すように、赤色フィルムテープ８３の長手方向一端部が、紙テープ８２の長手方向一端側に粘着部９２を介して接着された単語テープ８０を作成することができる。これにより、学習用として単語テープ８０を使用する時に、粘着部９２が邪魔にならないので、使い勝手のよい単語テープ８０を作成することができる。
【００５８】
なお、本実施形態で作成される単語テープ８０の長さは、例えば、７０〜１００ｍｍ程度に設定される。そして、紙テープ８２の表面の長手方向一端側には、粘着部９２を接着させるための前側余白が設けられ、他端側には後ろ側余白が設けられている。そして、その前側余白と後ろ側余白との間がサーマルヘッド１１による印刷範囲となっている。なお、この印刷範囲をなるべく広く設定するためには、後ろ側余白の長さを出来るだけ短く設定する。一例として、前側余白の長さは３０ｍｍ程度、後ろ側余白の長さは４ｍｍ程度に設定される。
【００５９】
以上説明したように、本実施形態のテープ印刷装置１は、学習用の単語カードとして利用できる単語テープ８０を作成できるものである。具体的には、赤色で単語が印刷された紙テープ８２の表面に、透明な赤色フィルムテープ８３が重ねられ、紙テープ８２と赤色フィルムテープ８３とが長手方向一端側で接着されて一体となった単語テープ８０を作成できる。単語テープ８０作成用のテープカセット５１には、紙テープ８２、赤色フィルムテープ８３、インクリボン８５が収納されている。赤色フィルムテープ８３の紙テープ８２の印刷面に重ねられる裏面には、フォトセンサ２０によって検出される識別マーク９１と粘着部９２とが設けられている。そして、テープ印刷装置１では、テープ送りローラ６２の駆動によって、紙テープ８２、赤色フィルムテープ８３が引き出され、サーマルヘッド１１によって紙テープ８２の印刷面に印刷される。
【００６０】
さらに、その紙テープ８２の印刷面に対して、テープ送りローラ６２によってガイドされた赤色フィルムテープ８３の裏面が重ねられて接着され、長尺状の単語テープ８０となってテープカセット５１のテープ送出口２７から送出される。そして、テープ送出口２７から送出された単語テープ８０は、赤色フィルムテープ８３側をフォトセンサ２０に向けた状態で搬送される。さらに、識別マーク９１がフォトセンサ２０によって検出されると、フォトセンサ２０の下流側近傍に配置されたカット機構２２によって切断される。これにより、識別マーク９１は単語テープ８０の先端側（切断端側）の余白に配置される。
【００６１】
さらに、その識別マーク９１の近傍に粘着部９２が配置されているので、粘着部９２を１枚の単語テープ８０の先端側（切断端側）の余白に配置することができる。このようにして、赤色フィルムテープ８３の長手方向一端部が、紙テープ８２の長手方向一端側に粘着部９２を介して接着された単語テープ８０を作成することができる。これにより、学習用として単語テープ８０を使用する時に、粘着部９２が邪魔にならないので、使い勝手のよい単語テープ８０を作成することができる。
【００６２】
なお、本発明の印刷装置は、上記した実施形態及び変形例に限らず、各種の変形が可能なことはいうまでもない。例えば、図１５に示す変形例である単語テープ１８０のように、紙テープ８２の印刷面に孔空け位置を示す「○」の孔空け位置マーク８８を印刷してもよい。これにより、孔空け位置マーク８８に孔を空け、複数の単語テープ１８０にリングを通すことによって、単語帳を容易に作成することができる。
【００６３】
また、上記実施形態では、赤色フィルムテープ８３の裏面には、フォトセンサ２０によって検出されるための識別マーク９１を設けたが、例えば、粘着部９２を有色にし、その有色の粘着部９２をフォトセンサ２０によって検出してもよい。この場合、識別マーク９１を設ける必要がないので、紙テープ８２の印刷面をより広くすることができる。
【００６４】
さらに、上記実施形態では、紙テープ８２に印刷する単語を赤色にし、透明フィルムテープを赤色にしたが、他の色にしてもよい。
【産業上の利用可能性】
【００６５】
本発明の印刷装置は、紙テープに有色のフィルムテープが粘着部を介して接着された単語テープを作成する印刷装置に適用可能である。
【図面の簡単な説明】
【００６６】
【図１】テープ印刷装置１の平面図である。
【図２】テープカセット５１の斜視図である。
【図３】上ケース５２を取り外した状態の下ケース５３の平面図である。
【図４】カセット検出部５の検出スイッチ６と、識別部６６の識別孔６６Ａとの関係を示す説明図である。
【図５】テープ印刷装置１の電気的構成を示すブロック図である。
【図６】ＲＯＭ１０２の記憶領域を示す概念図である。
【図７】ＲＡＭ１０４の記憶領域を示す概念図である。
【図８】フラッシュメモリ１０５の記憶領域を示す概念図である。
【図９】赤色フィルムテープ８３の裏面側から見た平面図である。
【図１０】インクリボン８５の平面図である。
【図１１】単語テープ８０の作成機構を示す説明図である。
【図１２】ＣＰＵ１０１による印刷制御動作を示すフローチャートである。
【図１３】図１２の続きを示すフローチャートである。
【図１４】テープ印刷装置１によって作成された単語テープ８０の斜視図である。
【図１５】変形例である単語テープ８０の部分破断平面図である（赤色フィルムテープ８３を部分的に破断）。
【符号の説明】
【００６７】
１    テープ印刷装置
１０    テープ排出口
１１    サーマルヘッド
２０    フォトセンサ
２２    カット機構
２７    テープ送出口
５１    テープカセット
６２    テープ送りローラ
６８    フィルムテープスプール
６９    紙テープスプール
７０    リボンスプール
８０    単語テープ
８２    紙テープ
８３    赤色フィルムテープ
８５    インクリボン
８５ａ  赤色転写領域
８５ｂ  黒色転写領域
９１    識別マーク
９２    粘着部
１０１    ＣＰＵ
【図１】
2008241955.tif 000003
【図２】
2008241955.tif 000004
【図３】
2008241955.tif 000005
【図４】
2008241955.tif 000006
【図５】
2008241955.tif 000007
【図６】
2008241955.tif 000008
【図７】
2008241955.tif 000009
【図８】
2008241955.tif 000010
【図９】
2008241955.tif 000011
【図１０】
2008241955.tif 000012
【図１１】
2008241955.tif 000013
【図１２】
2008241955.tif 000014
【図１３】
2008241955.tif 000015
【図１４】
2008241955.tif 000016
【図１５】
2008241955.tif 000017